(57)【特許請求の範囲】
【請求項１】
ガイドレールに対して摺動可能に係合されるスライダをワイヤで牽引して当該ガイドレールの長手方向へ摺動させることにより、前記スライダに支持されているウインドガラスを昇降させるウインドレギュレータであって、
前記スライダは当該スライダをガイドレールに摺動可能に係合するガイドシューと、ガイドレールの案内部の案内面に常に弾力的に当接する摺接部を備えた摺接部材を有し、
前記ガイドレールの案内部と前記スライダの少なくとも摺接部材の摺接部により、該摺接部の非当接部分と前記案内部とで画定され、前記案内面上に塗布されているグリースを前記摺動に伴い受け入れて残置し、該残置したグリースを当該摺接部が通過した後の前記案内面上に偏在させる受入残置部が構成される、
ことを特徴とするウインドレギュレータ。
【請求項２】
ガイドレールの案内部の案内面に弾力的に当接する摺接部を備えたスライダをワイヤで牽引して前記案内面の長手方向へ摺動させることにより、前記スライダに支持されているウインドガラスを昇降させるウインドレギュレータであって、
前記摺接部は、ガイドレールの案内部の案内面に当接する少なくとも２箇所の当接部分と、該当接部分の間に位置し前記案内面に当接しない非当接部分とを有し、前記少なくとも２箇所の各当接部分は前記長手方向に交差する方向に於いて離間して位置するとともに前記長手方向に於ける同位置で前記案内面に当接し、前記非当接部分は前記案内面とは反対側へ向けて幅狭となるテーパを成し、
前記ガイドレールの案内部と前記スライダの摺接部により、該摺接部の非当接部分と前記案内部とで画定され、前記案内面上に塗布されているグリースを前記摺動に伴い受け入れて残置し、該残置したグリースを当該摺接部が通過した後の前記案内面上に偏在させる受入残置部が構成される、
ことを特徴とするウインドレギュレータ。
【請求項３】
ガイドレールの案内部の案内面に弾力的に当接する摺接部を備えたスライダをワイヤで牽引して前記案内面の長手方向へ摺動させることにより、前記スライダに支持されているウインドガラスを昇降させるウインドレギュレータであって、
前記摺接部は、前記案内面との対向面に設定されており、該対向面から前記案内面側へ突設され面状に当接する当接面部と、該当接面部を前記長手方向にて分かつ溝部を有し、
前記ガイドレールの案内部と前記スライダの摺接部により、該摺接部の非当接部分である前記溝部と前記案内部とで画定され、前記案内面上に塗布されているグリースを前記摺動に伴い受け入れて残置し、該残置したグリースを当該摺接部が通過した後の前記案内面上に偏在させる受入残置部が構成される、
ことを特徴とするウインドレギュレータ。
【請求項４】
請求項３に於いて、
前記溝部は直線状を成し前記当接面部を前記長手方向に非平行に分かつ、
ことを特徴とするウインドレギュレータ。
【発明の詳細な説明】
【技術分野】
【０００１】
本発明は、ドアパネル内に組み付けられるガイドレールにスライダを摺動可能に設けて成り、手動力駆動又は機械力駆動のワイヤでスライダを牽引して上昇／下降させて、該スライダに支持されているウインドガラスを昇降させる、いわゆるワイヤ方式のウインドレギュレータに関する。
詳しくは、ガイドレールの案内面に塗布されたグリースが、スライダの摺接部によって除去されてしまうことを抑制することにより、ガタツキや異音の発生を長期間に渡って抑制できるようにしたウインドレギュレータに関する。
【背景技術】
【０００２】
ガイドレールにスライダを摺動可能に設け、ワイヤでスライダを牽引して上昇／下降させることにより該スライダに支持されているウインドガラスを昇降させる、ワイヤ方式のウインドレギュレータは、例えば、ＪＰ２００５−１３９７０６Ａ（特許文献１）等に記載されているように、従来から知られている。
【０００３】
ガイドレールは、ドアパネルの湾曲に沿うように長手方向で湾曲されている。このガイドレール上を、プーリー等を介するワイヤで牽引されるスライダが摺動するため、ワイヤの牽引方向とスライダの摺動方向とに微細な差異が生じ易くなり、ガタツキや異音の発生の原因となりがちである。このため、摺動を滑らかにするべく、ガイドレールの案内面上にはグリースが塗布されている。
【先行技術文献】
【特許文献】
【０００４】
【特許文献１】ＪＰ２００５−１３９７０６Ａ
【発明の概要】
【発明が解決しようとする課題】
【０００５】
ウインドレギュレータの使用に伴い、ガイドレールの案内面上を、スライダの摺接部が接触状態で繰り返して摺動する。このため、出荷時にガイドレールの案内面上に塗布されていたグリースは、長期間経過後にはスライダの摺接部によって除去されてしまい、摺動の滑らかさが損なわれて、ガタツキや異音の発生の原因となる。
本発明は、ガイドレールの案内面とスライダの摺接部との良好な接触状態を維持するとともに、出荷から長期間経過後においても十分な量のグリースが除去されずに残置されるようにして、ガタツキや異音の発生を抑制できるようすることを目的とする。
【課題を解決するための手段】
【０００６】
本発明の構成例を下記［１］〜［４］に記す。なお、下記に於いて、各符号は理解を容易にするために付したものであり、本発明は符号の構成に限定されない。次項（発明の効果）においても同様である。
［１］構成１
ガイドレール１に対して摺動可能に係合されるスライダ３をワイヤ９（９ａ／９ｂ）で牽引して当該ガイドレール１の長手方向へ摺動させることにより、前記スライダ３に支持されているウインドガラスを昇降させるウインドレギュレータであって、
前記スライダ３は当該スライダ３をガイドレール１に摺動可能に係合するガイドシュー３８１，３８２と、ガイドレール１の案内部の案内面１１／１２／１３／１４に常に弾力的に当接する摺接部３５を備えた摺接部材３６１〜３６３，３６５，３６６を有し、
前記ガイドレール１の案内部と前記スライダ３の少なくとも摺接部材３６１〜３６３，３６５，３６６の摺接部３５により、該摺接部３５の非当接部分３５ｂと前記案内部とで画定され、前記案内面１１／１２／１３／１４上に塗布されているグリース４を前記摺動に伴い受け入れて残置し、該残置したグリース４を当該摺接部３５が通過した後の前記案内面１１／１２／１３／１４上に偏在させる受入残置部３９が構成される、
ことを特徴とするウインドレギュレータ。
摺接部３５と案内面１１／１２／１３／１４が当接する部位では、グリースは概ね案内面１１／１２／１３／１４上から除去されるが、薄い油膜は残る。
グリース４の偏在は摺接部３５の通過後に現出されるため、案内面１１／１２／１３／１４の幅方向で実現され、長手方向では筋状となる。偏在位置は、幅方向の略中央位置でもよく、何れかの縁寄り位置でもよい。また、偏在するに際し、グリースは案内面上を移動してもよく、移動しなくてもよい。
弾力的な当接は、例えば、摺接部を延設片の先端に設けて該延設片の弾力で実現してもよく、また、摺接部の付近を弾性樹脂やゴムで形成することで実現してもよい。
【０００７】
［２］構成２
ガイドレール１の案内部の案内面１１／１２／１３／１４に弾力的に当接する摺接部３５を備えたスライダ３をワイヤ９（９ａ／９ｂ）で牽引して前記案内面の長手方向へ摺動させることにより、前記スライダ３に支持されているウインドガラスを昇降させるウインドレギュレータであって、
前記摺接部３５は、ガイドレール１の案内部の案内面１１／１２／１３／１４に当接する少なくとも２箇所の当接部分３５ａと、該当接部分３５ａの間に位置し前記案内面１１／１２／１３／１４に当接しない非当接部分３５ｂとを有し、前記少なくとも２箇所の各当接部分３５ａは前記長手方向に交差する方向に於いて離間して位置するとともに前記長手方向に於ける同位置で前記案内面１１／１２／１３／１４に当接し、前記非当接部分３５ｂは前記案内面１１／１２／１３／１４とは反対側へ向けて幅狭となるテーパを成し、
前記ガイドレール１の案内部と前記スライダ３の摺接部３５により、該摺接部３５の非当接部分３５ｂと前記案内部とで画定され、前記案内面１１／１２／１３／１４上に塗布されているグリース４を前記摺動に伴い受け入れて残置し、該残置したグリース４を当該摺接部３５が通過した後の前記案内面１１／１２／１３／１４上に偏在させる受入残置部３９が構成される、
ことを特徴とするウインドレギュレータ。
案内面とは反対側とは、案内面から遠ざかる側を言う。
【０００８】
［３］構成３
ガイドレール１の案内部の案内面１１／１２に弾力的に当接する摺接部３５を備えたスライダ３をワイヤ９（９ａ／９ｂ）で牽引して前記案内面１１／１２の長手方向へ摺動させることにより、前記スライダ３に支持されているウインドガラスを昇降させるウインドレギュレータであって、
前記摺接部３５は、前記案内面１１／１２との対向面に設定されており、該対向面から前記案内面側へ突設され面状に当接する当接面部３７ａと、該当接面部３７ａを前記長手方向にて分かつ溝部３７ｂを有し、
前記ガイドレール１の案内部と前記スライダ３の摺接部３５により、該摺接部３５の非当接部分３５ｂである前記溝部３７ｂと前記案内部とで画定され、前記案内面１１／１２上に塗布されているグリース４を前記摺動に伴い受け入れて残置し、該残置したグリース４を当該摺接部３５が通過した後の前記案内面１１／１２上に偏在させる受入残置部が構成される、
ことを特徴とするウインドレギュレータ。
摺接部の非当接部分である溝部３７ｂの側壁面及び底面と、摺接部が沿っている案内面１１／１２とで、受入残置部が画定される。
溝部３７ｂに受け入れられたグリースは、摺接部３５の通過後、溝部３７ｂの出口側の位置で決まる部位に偏在する。
［４］構成４
構成３に於いて、
前記溝部３７ｂは直線状を成し前記当接面部３７ａを前記長手方向に非平行に分かつ、
ことを特徴とするウインドレギュレータ。
【発明の効果】
【０００９】
構成１は、ガイドレール１に対して摺動可能に係合されるスライダ３をワイヤ９（９ａ／９ｂ）で牽引して当該ガイドレール１の長手方向へ摺動させることにより、前記スライダ３に支持されているウインドガラスを昇降させるウインドレギュレータであって、前記スライダ３は当該スライダ３をガイドレール１に摺動可能に係合するガイドシュー３８１，３８２と、ガイドレール１の案内部の案内面１１／１２／１３／１４に常に弾力的に当接する摺接部３５を備えた摺接部材３６１〜３６３，３６５，３６６を有し、前記ガイドレール１の案内部と前記スライダ３の少なくとも摺接部材３６１〜３６３，３６５，３６６の摺接部３５により、該摺接部３５の非当接部分３５ｂと前記案内部とで画定され、前記案内面１１／１２／１３／１４上に塗布されているグリース４を前記摺動に伴い受け入れて残置し、該残置したグリース４を当該摺接部３５が通過した後の前記案内面１１／１２／１３／１４上に偏在させる受入残置部３９が構成されることを特徴とするため、案内面１１／１２／１３／１４を摺接部３５が通過した後にも、十分な量のグリースが除去されずに残置される。その結果、ガタツキや異音の発生を長期間に渡って抑制することができる。
構成２は、ガイドレール１の案内部の案内面１１／１２／１３／１４に弾力的に当接する摺接部３５を備えたスライダ３をワイヤ９（９ａ／９ｂ）で牽引して前記案内面の長手方向へ摺動させることにより、前記スライダ３に支持されているウインドガラスを昇降させるウインドレギュレータであって、前記摺接部３５は、ガイドレール１の案内部の案内面１１／１２／１３／１４に当接する少なくとも２箇所の当接部分３５ａと、該当接部分３５ａの間に位置し前記案内面１１／１２／１３／１４に当接しない非当接部分３５ｂとを有し、前記少なくとも２箇所の各当接部分３５ａは前記長手方向に交差する方向に於いて離間して位置するとともに前記長手方向に於ける同位置で前記案内面１１／１２／１３／１４に当接し、前記非当接部分３５ｂは前記案内面１１／１２／１３／１４とは反対側へ向けて幅狭となるテーパを成し、前記ガイドレール１の案内部と前記スライダ３の摺接部３５により、該摺接部３５の非当接部分３５ｂと前記案内部とで画定され、前記案内面１１／１２／１３／１４上に塗布されているグリース４を前記摺動に伴い受け入れて残置し、該残置したグリース４を当該摺接部３５が通過した後の前記案内面１１／１２／１３／１４上に偏在させる受入残置部３９が構成されることを特徴とするため、案内面１１／１２／１３／１４を摺接部３５が通過した後にも、十分な量のグリースが除去されずに残置される。その結果、ガタツキや異音の発生を長期間に渡って抑制することができる。また、ガタツキや異音の発生を十分に抑制することができる。また、良好な作用を奏することができる具体的な構成例を提供できる効果がある。
構成３は、ガイドレール１の案内部の案内面１１／１２に弾力的に当接する摺接部３５を備えたスライダ３をワイヤ９（９ａ／９ｂ）で牽引して前記案内面１１／１２の長手方向へ摺動させることにより、前記スライダ３に支持されているウインドガラスを昇降させるウインドレギュレータであって、前記摺接部３５は、前記案内面１１／１２との対向面に設定されており、該対向面から前記案内面側へ突設され面状に当接する当接面部３７ａと、該当接面部３７ａを前記長手方向にて分かつ溝部３７ｂを有し、前記ガイドレール１の案内部と前記スライダ３の摺接部３５により、該摺接部３５の非当接部分３５ｂである前記溝部３７ｂと前記案内部とで画定され、前記案内面１１／１２上に塗布されているグリース４を前記摺動に伴い受け入れて残置し、該残置したグリース４を当該摺接部３５が通過した後の前記案内面１１／１２上に偏在させる受入残置部が構成されるため、グリースの偏在位置を案内面の幅方向（長手方向と交差する方向）で移動させることができ、さらに良好な作用を奏することができる。
【図面の簡単な説明】
【００１０】
【図１】実施の形態で用いられるスライダを示す正面図（ａ）と、（ａ）内矢視Ｂ−Ｂ線の切断端面を拡大して示す拡大端面図（ｂ）と、（ａ）内矢視Ｃ−Ｃ線の切断端面を拡大して示す拡大端面図（ｃ）。
【図２】図１内の弾性リップ３６５とその摺接部３５付近を模式的に示し、（ａ）は図１（ａ）基準での正面図、（ｂ）は（ａ）内矢視ｂ−ｂ線断面図、（ｃ）は（ａ）内矢視ｃ方向の説明図。部材の厚さは無視している。
【図３】図２（ｃ）の上端付近（摺接部）の形状の変形例を模式的に示す説明図。
【図４】実施の形態のウインドレギュレータを示す斜視図。
【図５】実施の形態で用いられるスライダをガイドレールに装着した状態を示す正面図（ａ）と、背面図（ｂ）。
【図６】実施の形態で用いられるスライダを示す背面図。
【図７】実施の形態で用いられる図１とは別のスライダをガイドレールに装着した状態を下方から見た斜視図（ａ）と、上方から見た斜視図（ｂ）。
【図８】図７のスライダのガイドシュー３８１，３８２とその摺接部３５付近を模式的に示し、（ａ）は正面図、（ｂ）は（ａ）内矢視Ｂ方向の説明図、（ｃ）は（ｂ）内矢視Ｃ方向を拡大して示す説明図。
【図９】図８（ｃ）付近の形状の変形例を模式的に示す説明図。
【発明を実施するための形態】
【００１１】
以下、図面を参照して、本発明の実施の形態を説明する。
図４に示すウインドレギュレータは、ガイドレール１と、ガイドレール１に摺動可能に設けられてガイドレール１の案内で上昇／下降するスライダ３と、スライダ３を昇降させるべく牽引するワイヤ９（上ワイヤ９ａ，下ワイヤ９ｂ）と、ワイヤ９を牽引し／繰り出すための駆動力を付与する駆動源（モータ等）９０とを有する。ガイドレール１は金属製であり、スライダ３は一体成形された硬質な樹脂製である。ガイドレール１の金属としては、一般的に用いられているＳＵＳ等に代えて、例えば、アルミニウムを用いることもできる。また、スライダ３は一体成形の硬質樹脂製に限定されず、例えば、ガイドレール１と摺接する部位を樹脂製とし、ウインドガラスを保持する部位を金属製のブラケットで構成する等、各種の変形が可能である。
ワイヤ方式のウインドレギュレータ自体は従来から知られており、例えば、ワイヤ９を牽引し／繰り出す機構や、プーリー等を介してワイヤ９の端部をスライダ３に良好に連結する機構等は周知であるため、これ以上の説明は割愛する。
【００１２】
スライダ３は、その各摺接部３５が、それぞれの当接部分（線分箇所）３５ａ／当接面部３７ａにてガイドレール１の案内面１１／１２／１３／１４と摺動可能に接触して、案内面１１／１２／１３／１４の長手方向（ウインドレギュレータがドアパネル内に組み付けられた状態でのガラス昇降方向（上下方向））に摺動する。ここで、当接部分（線分箇所）３５ａは、後述の弾性リップ３６１，３６２，３６３，３６５，３６６の場合である。また、当接面部３７ａは、後述のガイドシュー３８１，３８２の場合である。
【００１３】
上下・左右・表裏（正面／背面）は、図１（ａ）を基準として説明する。
摺接部３５は、スライダ３の上端側のガイドシュー３８１の内面（案内面１１／１２との対向面）、下端側のガイドシュー３８２の内面（案内面１１／１２との対向面）、弾性リップ３６１の先端部分の表面（案内面１２との対向面）、弾性リップ３６２の先端部分の裏面（案内面１１との対向面）、弾性リップ３６３の先端部分の表面（案内面１２との対向面）、弾性リップ３６５の先端部分の表面（案内面１４との対向面）、及び、弾性リップ３６６の先端部分の裏面（案内面１３との対向面）に、それぞれ設定されている。
【００１４】
ガイドレール１は、図１（ｂ）（ｃ）に２点鎖線で示すように、また、図７（ｂ）に示すように、長手方向に直交する方向の断面（横断面）が略角形のＣ字状を成し、Ｃ字の各端部（各縁）から幅方向の外側へ向けて一定幅で延設された案内部を有する。この両縁の案内部の表裏両面が、案内面１１，１２，１３，１４とされている。若しくは、この案内部に、案内面１１，１２，１３，１４が設けられている。
【００１５】
右縁の案内面１１，１２には、スライダ３の上下端のガイドシュー３８１，３８２が係合されて、それらの各内面（摺接部３５）が、その当接面部３７ａにて、それぞれ、案内面１１，１２に摺動可能に当接されている。これらガイドシュー３８１，３８２の摺接部３５での当接は、本実施の形態ではスライダ３と一体成形の硬質樹脂製であるため弾力的ではないが、当接面部３７ａを、弾性を有する軟質樹脂やゴム等で構成して、弾力的に当接されるようにしてもよい。
【００１６】
また、右縁の案内面１１，１２には、上下端のガイドシュー３８１，３８２の間に、上方から順に弾性リップ３６１，３６２，３６３が設けられており、各リップの先端部の表面に設定されている摺接部３５が、その当接部分（線分箇所）３５ａにて、それぞれ、案内面１２，案内面１１，案内面１２に、弾力的に当接されている。即ち、リップの弾力で、当該のリップが対向する案内面を押圧するように当接（弾接）されている。
【００１７】
一方、左縁の案内面１３，１４には、上方から順に弾性リップ３６５，３６６が設けられており、各リップの先端部の表面に設定されている摺接部３５が、その当接部分（線分箇所）３５ａにて、それぞれ、案内面１４，案内面１３に、弾力的に当接されている。即ち、リップの弾力で、当該のリップが対向する案内面を押圧するように当接（弾接）されている。
【００１８】
ガイドシュー３８１，３８２は、スライダ３をガイドレール１に摺動可能に係合する機能を、主として奏する部位である。
一方、弾性リップ３６１，３６２，３６３，３６５，３６６は、ガイドレール１の湾曲に沿って摺動するスライダ３の摺動方向と、スライダを移動させるべく印加されるワイヤ９の牽引方向とに微細な差異が有り、そのことに起因して摺動時にガタツキや異音が生じ易くなるため、それらを軽減するべく設けられた部位である。つまり、ガイドレール１の案内面１１，１２，１３，１４を両面側から挟み込むように押圧することにより、ガタツキや異音を抑制する機能を奏させるようにした部位である。
このように、スライダ３は、ガイドレール１に、摺動可能に設けられている。
【００１９】
弾性リップ３６１，３６２，３６３，３６５，３６６の各摺接部３５には、当該の摺接部３５が対向している案内面１２，１１，１２，１４，１３上に塗布されているグリース４を、摺動に伴い受け入れて残置するとともに、当該の摺接部３５が通過した後の案内面１２，１１，１２，１４，１３上に幅方向で偏在させるための受入残置部３９が、摺接部３５の非当接部分３５ｂ（３５ｂ−ｔを含む）と、当該の摺接部３５が対向し若しくは沿う案内部とで画定されて構成されている。本実施の形態では、摺接部３５の非当接部分３５ｂ（３５ｂ−ｔを含む）と、当該の摺接部３５が対向する案内面１２，１１，１２，１４，１３とで画定されて構成されている。
【００２０】
この受入残置部３９（図２（ｃ）で案内面１４と、摺接部３５の非当接部分３５ｂ（３５ｂ−ｔを含む）とで画定される（囲まれる）部分）には、摺動時、グリース４が除去されることなく受け入れられて残置される。また、摺接部３５の通過後には、残置されたグリース４が、案内面の長手方向に沿って筋状に残置される。言うなれば、案内面の幅方向で偏在される。なお、上記において、「案内面と摺接部の非当接部分とで画定される（囲まれる）部分」とは、それらによって完全に囲まれていてもよいが、空きのある状態で囲まれる場合であってもよい。
【００２１】
前述のように、弾性リップ３６１，３６２，３６３，３６５，３６６は、リップ（延設片）の弾力で、その摺接部３５の当接部分（仮想直線上の線分箇所３５ａ；図２（ｂ）に示すようにリップの先端部分は湾曲して折り返されており、対向する案内面に対して略線接触するため、線分箇所３５ａでの接触となる；直線や線分とは、厳密には幅を持たない数学的な概念であるが、ここでは、物理的に実現され得る意味で用いており、若干の幅を有する）を、対向する案内面１２，１１，１２，１４，１３に弾力的に押圧している。このため、摺動が繰り返されるにしたがって、各摺接部３５の線分箇所３５ａは徐々に磨耗して、高さが徐々に低くなる。図２（ａ）（ｃ）に示すように、本実施の形態では、当接部分３５ａは、案内面１４の長手方向と交差する方向（仮想直線の方向）における２箇所で、相互に離間して、案内面１４に当接している。また、２箇所の当接部分３５ａの位置は、案内面１４の長手方向において同一の位置である。
【００２２】
案内面１４の長手方向と交差する方向の２箇所で当該案内面１４と当接している線分箇所３５ａが、徐々に磨耗してその高さが低くなると、受入残置部３９により受け入れられ得るグリースの量も徐々に減る。その結果、受入残置部３９からグリース４に対して、押し出すような圧力が加わるようになり、それにより押し出されたグリースは、案内面と当接部分（線分箇所３５ａ）との間隙に微小量ずつ入り込むようになる。こうして、グリースが供給され続け、ウインドレギュレータの出荷から長期間が経過した後においても十分な量のグリースが存在し、供給されて、ガタツキや異音の発生を抑制することができる。
なお、非当接部分３５ｂにテーパ部３５ｂ−ｔ（図２（ｃ）に示すように、案内面１４の反対側（案内面１４から遠ざかる側）へ向けて幅狭となるテーパ部）を設けると、グリースを微小量ずつ供給する作用効果を、さらに良好に発揮させることができる。
【００２３】
受入残置部は、図２に示す形状に限定されず、図３に例示するような適宜の形状に構成することができる。例えば、（ａ）のように、案内面の幅方向に複数の受入残置部を構成するようにしてもよい。また、（ｂ）のように非当接部分を曲線状に構成してもよい。また、（ｃ）のように非当接部分をＶ字状にして並べ、Ｖ字の上端を当接部分としてギザギザ状に構成してもよい。また、（ｄ）のように、非当接部分を曲線状且つ凹凸を有するように構成してもよい。さらに、この（ｄ）に於いて、弾性リップ３６５ｄの図中両端の突出部分３６５ｄ−１付近を軟質樹脂で構成するとともに、中央の相対的に低い突出部分３６５ｄ−２を硬質樹脂で構成し、両端の突出部分３６５ｄ−１が案内面上で弾性変形して低くなったときに、該両端の突出部分３６５ｄ−１とともに中央の比較的低い突出部分３６５ｄ−２が案内面１３に当接するようにしてもよい。そのようにすると、残置したグリース４を、さらに良好に押圧して、案内面１３と弾性リップ３６５ｄの当接部分との間隙に微小量ずつ供給することができる。また、（ｅ）のように、案内面１４が設けられている案内部に突出部１４０１を設けてもよい。この場合、弾性リップ３６５ｅでは、突出部１４０１の先端面（図で「下端面」）に当接する部位３６５ｅ−１と、突出部１４０１の左側に位置する摺接部側の突出部分の上面部位（案内面１４に当接する部位）３６５ｅ−２とが、摺接部の前記当接部分に該当する。なお、突出部１４０１の先端面（図で「下端面」）と、上記弾性リップ３６５ｅ側の対応部位３６５ｅ−１とは、グリース４を残置する機能を奏し得るのであれば必ずしも当接していなくてもよく、隙間を有していてもよい。このように、案内面を備えた案内部の側と、摺接部の側とに、それぞれ相手側部材の方向へ突出する部分を設けて画定に用い、受入残置部を構成するようにしてもよい。また、（ｆ）のように、案内面１４を湾曲形成することにより幅方向の両縁部に受入残置部を構成してもよい。また、（ｇ）のように、案内面１４が設けられている案内部に設ける突出部１４０２を高く（深く）構成して、該突出部１４０２の側面を摺接部の側面に当接させることにより受入残置部を構成してもよい。ここで、突出部１４０２の側面と弾性リップ３６５ｒ側の対応面３６５ｇ−１とが完全には当接せず、グリース４を残置する機能を奏し得るのであれば隙間を有していて良いことは、上記（ｅ）の場合と同様である。
【００２４】
上記は、何れも、弾力をリップ（延設片）の弾性力で付与する例であるが、これに代えて、図３（ｈ）の斜線部のように、摺接部３５付近を軟質樹脂やゴムで形成することにより弾力を付与するようにしてもよい。
【００２５】
前述の弾性リップ３６１，３６２，３６３，３６５，３６６では、リップの先端部分が湾曲して折り返され、弾性リップによる押圧力を印加されていたため、その先端部分の摺接部３５が、対向する案内面に対して線接触していた（線分箇所３５ａでの接触となっていた）が、必ずしも線接触に限定されるものではなく、例えば、押圧力を適宜に調整等することにより、面状に接触するように構成されていてもよい。
以下に述べるガイドシュー３８１，３８２では、ガイドレール１側の案内面１１／１２と、スライダ３側の摺接部３５とは、面状に接触する。即ち、各ガイドシュー３８１，３８２の当接面部３７ａが、案内面１１／１２に当接する。
【００２６】
このことを利用して、図８に示す例では、摺接部３５に突設された当接面部３７ａを２分割することにより構成される溝部３７ｂを用いて受入残置部を構成するとともに、該溝部３７ｂを、案内面１１の長手方向に対して角度を成すように設けている。このようにすると、受入残置部（当該の摺接部の非当接部分である溝部３７ｂの側壁面及び底面と、当該の摺接部が沿っている案内面１１／１２とで画定される部分）で受け入れられ、摺接部３５の通過後に案内面１１の長手方向に筋状に残置される（幅方向で偏在される）グリースの幅方向での位置を、受け入れの前後において、幅方向で移動させることができる。即ち、受入残置部に受け入れたグリースを、摺接部３５の通過に伴い溝部３７ｂの側壁面から押して、幅方向に移動させることができる。なお、図８（ｃ）の溝部３７ｂ内に示す矢印群は、スライダを矢印ａ方向に移動させた場合のグリースの移動方向を示す。このようにグリースが移動するため、案内面１１／１２上のグリースを良好に均すことができ、ガタツキや異音の発生をさらに良好に抑制することができる。なお、図７は、ガイドシュー３８１，３８２の位置を把握し易くすることを企図して採用した別の図であり、図１、図５、図６とは異なる。このため、弾性リップ３６１０，３６２０，３６３０の形状も、図１等の弾性リップ３６１，３６２，３６３とは、若干、異なっている。
【００２７】
当接面部３７ａと、該当接面部３７ａを分かつことにより構成される溝部３７ｂの形状は、図８に示す形状に限定されない。例えば、図９に例示するような適宜の形状に構成することもできる。即ち、（ａ）のように、溝部３７ｂ１の縁端部を案内面の縁に合致させてもよい。また、（ｂ）のように当接面部３７ａ２を４分割して、溝部３７ｂ２を２本で構成してもよい。また、（ｃ）のように溝部３７ｂ３を曲げてもよい。また、（ｄ）のように、溝部３７ｂ４を小刻みに曲げてもよい。また、（ｅ）のように、溝部３７ｂ６を相対的に緩やかに曲げてもよい。図９（ａ）〜（ｆ）内の溝部３７ｂ１〜３７ｂ６内に示す各矢印群は、それぞれ、スライダを矢印ａ方向に移動させた場合のグリースの移動方向の概要を示す。
これらに限定されず、当接面部や溝部は適宜の形状に構成することができる。
【００２８】
また、図９ではガイドシュー３８１，３８２の当接面部及び溝部として説明したが、これらの形状は、前述の弾性リップでも同様に構成することができる。
また、上記した実施の形態では、案内面を備えた案内部を、断面が略角形のＣ字を成すガイドレール１の各端部（各縁）から幅方向の外側へ向けて一定幅で延設した部位（縁部位）に構成した場合を説明したが、案内部はかかる両縁の延設部位に限定されない。例えば、ガイドレール１の中央部位１００（図７（ｂ）参照）や、縁部位と中央部位１００を繋ぐ側壁部位１０１（図７（ｂ）参照）に案内部を構成し、該案内部に、スライダを前記実施の形態と同様に摺接させるようにしてもよい。
【符号の説明】
【００２９】
１  ガイドレール
１１  案内面（右表側；図２基準）
１２  案内面（右裏側；図２基準）
１３  案内面（左表側；図２基準）
１４  案内面（左裏側；図２基準）
３  スライダ
３０  本体部
３５  摺接部
３５ａ  当接部分（線分箇所）
３５ｂ  非当接部分
３５ｂ−ｔ  テーパ部
３５０  突設部分
３６１  弾性リップ（延設片，振り止め部／右上；図１（ａ）基準）
３６１０  弾性リップ（延設片，振り止め部／右上；図１（ａ）基準）
３６２  弾性リップ（延設片，振り止め部／右中；図１（ａ）基準）
３６２０  弾性リップ（延設片，振り止め部／右中；図１（ａ）基準）
３６３  弾性リップ（延設片，振り止め部／右下；図１（ａ）基準）
３６３０  弾性リップ（延設片，振り止め部／右下；図１（ａ）基準）
３６５  弾性リップ（延設片，振り止め部／左上；図１（ａ）基準）
３６５ａ〜３６５ｈ  弾性リップ（延設片，振り止め部／左上；図１（ａ）基準）
３６６  弾性リップ（延設片，振り止め部／左下；図１（ａ）基準）
３７ａ  当接面部
３７ａ１〜３７ａ６  当接面部
３７ｂ  溝部
３７ｂ１〜３７ｂ６  溝部
３８１  ガイドシュー（ガイドレール受部／上：図６（ａ）（ｂ）基準）
３８２  ガイドシュー（ガイドレール受部／下：図６（ａ）（ｂ）基準）
３９  受入残置部
４  グリース
９  ワイヤ
９０  駆動源
９ａ  上ワイヤ
９ｂ  下ワイヤ
【図１】
0006700052.tif 000002
【図２】
0006700052.tif 000003
【図３】
0006700052.tif 000004
【図４】
0006700052.tif 000005
【図５】
0006700052.tif 000006
【図６】
0006700052.tif 000007
【図７】
0006700052.tif 000008
【図８】
0006700052.tif 000009
【図９】
0006700052.tif 000010